(57)【要約】  【課題】  乗員がインストルメントパネルの室内側前面にぶつかった時に、インストルメントパネルの前方への凹みを大きくでき、乗員に対する衝撃力の緩和をはかる。  【解決手段】  自動車のインストルメントパネル１内部に電気接続箱１０を垂直配置し、該電気接続箱１０の上部固定部２０にブラケット４０を回転軸を介して連結すると共に該ブラケット４０をリーンホース５０にボルト固定している一方、電気接続箱１０の下部固定部３０にボルト孔３１を穿設していると共に、該ボルト孔３１に連通すると共に下部固定部３０の下端に開口するスリット３２を設け、上記ボルト孔３１にボルトを通してカウルサイドパネルの車体側ブラケット部５２と固定しており、インストルメントパネル１の前面より衝撃が負荷された時に、下部固定部３０がボルトによる固定が解かれ、上記回転軸を支点として電気接続箱１０が前方へ回転する。  【選択図】  図１
2005059726.tif 000002
【特許請求の範囲】
【請求項１】
自動車のインストルメントパネル内部に電気接続箱を垂直配置し、該電気接続箱のケースの上面に設ける上部固定部にブラケットを回転軸を介して連結すると共に該ブラケットを上記インストルメントパネル内の上部固定材にボルト固定している一方、
上記電気接続箱のケースの下面に設ける下部固定部にボルト孔を穿設していると共に、該ボルト孔に連通すると共に上記下部固定部の下端に開口するスリットを設け、上記ボルト孔にボルトを通して上記インストルメントパネル内の下部固定材と固定しており、
上記インストルメントパネルの前面より衝撃が負荷された時に、上記下部固定部が上記ボルトによる固定が解かれ、上記回転軸を支点として上記電気接続箱が前方へ回転できる構成としていることを特徴とする電気接続箱の固定構造。
【請求項２】
上記インストルメントパネル内の上部固定材はリーンホース、下部固定材はリーンホースやカウルサイドパネル等から延在させる車体側ブラケットからなり、上記回転軸を介して取り付けた上記ブラケットの上端を上記リーンホースに固定して電気接続箱を垂直方向に吊り下げている一方、上記下部固定材の車体側ブラケットより突設したボルトを上記ボルト孔に通してナットで締結している請求項１に記載の電気接続箱の固定構造。
【発明の詳細な説明】
【技術分野】
【０００１】
本発明は、電気接続箱の固定構造に関し、詳しくは、インストルメントパネル内に配置され、インストルメントパネルの室内側前面近くに配置されている電気接続箱が衝突時に回転するようにして、インストルメントパネルに乗員がぶつかった場合に電気接続箱により与えられる衝撃を緩和するものである。
【背景技術】
【０００２】
自動車のインストルメントパネル内部において、図５に示すように、インストルメントパネル１の室内側前面近傍位置にリレーボックス等の電気接続箱２を配置している場合がある。この電気接続箱２は、一般に電気接続箱２に突設するブラケットを車体パネル等の固定材にボルトとナットにより締結して、電気接続箱２をインストルメントパネル内部に固定している。
【０００３】
例えば、本出願人は、先に特開２００１−３２７０３５号において、図６に示す電気接続箱の固定構造を提供している。この電気接続箱の固定構造では、電気接続箱３の上下面のボルト孔４ａを穿設したブラケット４を突設していると共に、一側面に上下方向に延在する支軸５を設けており、該支軸５を車体６に設けた仮係止部６ａ内に挿入して電気接続箱３を車体６に仮係止した後、該電気接続箱３を支軸５を支点として回転させてブラケット４のボルト孔４ａを車体６のボルト孔６ｂと連通させボルト締めして電気接続箱３を車体６に固定している。
【０００４】
図５に示すように、自動車の急ブレーキ等により座席から投げ出された乗員Ｈがインストルメントパネル１の室内側前面に衝突した場合、インストルメントパネル１が前方に凹むと乗員に対する衝撃を緩和することができる。このように、インストルメントパネルが前方へ凹むには、前方に衝撃吸収用の空間が必要であるが、電気接続箱がインストルメントパネル１内に配置され、車体に対してボルト及びナットにより強固に取り付けられていると、インストルメントパネル１の室内側前面は電気接続箱に当接する僅かな寸法は凹むが、それ以上は電気接続箱によって前方への凹みが規制され、乗員Ｈが受ける衝撃力を緩和することができない。
【０００５】
上記特開２００１−３２７０３５号において提供している電気接続箱３の固定構造であると、電気接続箱３は仮係止状態のときは支軸５を支点として回転するが、本固定の状態ではブラケットにより車体に強固に固定しているため、電気接続箱３に荷重を負荷しても電気接続箱３は回転せず、よってインストルメントパネルと電気接続箱との間に十分な衝撃吸収空間を設けることはできない。
【特許文献１】特開２００１−３２７０３５号
【発明の開示】
【発明が解決しようとする課題】
【０００６】
本発明は上記した問題に鑑みてなされたもので、乗員がインストルメントパネルの室内側前面にぶつかった時に、インストルメントパネルの内部、特に、前面近傍に配置される電気接続箱が容易に回転して、インストルメントパネルの前方への凹みを大きくでき、乗員に対する衝撃力の緩和をはかることを課題としている。
【課題を解決するための手段】
【０００７】
上記課題を解決するため、本発明は、自動車のインストルメントパネル内部に電気接続箱を垂直配置し、該電気接続箱のケースの上面に設ける上部固定部にブラケットを回転軸を介して連結すると共に該ブラケットを上記インストルメントパネル内の上部固定材にボルト固定している一方、
上記電気接続箱のケースの下面に設ける下部固定部にボルト孔を穿設していると共に、該ボルト孔に連通すると共に上記下部固定部の下端に開口するスリットを設け、上記ボルト孔にボルトを通して上記インストルメントパネル内の下部固定材と固定しており、
上記インストルメントパネルの前面より衝撃が負荷された時に、上記下部固定部が上記ボルトによる固定が解かれ、上記回転軸を支点として上記電気接続箱が前方へ回転できる構成としていることを特徴とする電気接続箱の固定構造を提供している。
【０００８】
上記電気接続箱の固定構造であると、通常時においては、電気接続箱の上部固定部をブラケットを介して車体側の上部固定材に固定すると共に、電気接続箱の下部固定部を車体側の下部固定材に固定して、電気接続箱の上下両側を車体に固定している。
一方、自動車の乗員がインストルメントパネルの室内側前面に衝突して電気接続箱に前向きの衝撃が負荷された時、下部固定部を固定しているボルトが下部固定部のボルト孔に連通させて設けているスリットを開いて抜き出て、下部固定部がボルトによる固定が解かれ、上部側の回転軸を支点として電気接続箱が前方へ回転する。そのため、インストルメントパネルの室内側前面と電気接続箱との間に大きな衝撃吸収空間を設けて、インストルメントパネルの前方への凹みを大きくでき、乗員への衝撃力を緩和して、乗員の保護を図ることができる。
【０００９】
上記インストルメントパネル内の上部固定材はリーンホース、下部固定材はリーンホースやカウルサイドパネル等から延在させる車体側ブラケットからなり、上記回転軸を介して取り付けた上記ブラケットの上端を上記リーンホースに固定して電気接続箱を垂直方向に吊り下げている一方、上記下部固定材の車体側ブラケットより突設したボルトを上記ボルト孔に通してナットで締結している。
【００１０】
上記構成とすると、上部固定材をリーンホースとして、既存の部材を電気接続箱の固定材として利用することができ、下部固定材を既存のリーンホースやカウルサイドパネルにブラケットを設けるだけであるため、電気接続箱を固定するためにあらたに固定材を設ける必要がない。
また、リーンホースは非常に強固な部材であるため、乗員がインストルメントパネルに衝突してもリーンホース自体が折れ曲がる等して破損することはない。よって、電気接続箱の上部側の固定を強固にすることができ、電気接続箱に衝撃が負荷された時に、下部固定部の固定を確実に解いて電気接続箱を回転させることができる。
【発明の効果】
【００１１】
以上の説明より明らかなように、本発明によれば、通常時においては、電気接続箱の上部固定部をブラケットを介して車体側の上部固定材に固定すると共に、電気接続箱の下部固定部を車体側の下部固定材に固定して、電気接続箱を車体に固定しておくことができる一方、自動車の乗員がインストルメントパネルの室内側前面に衝突して電気接続箱に前向きの衝撃が負荷された時、下部固定部を固定しているボルトが下部固定部のボルト孔に連通させて設けているスリットを開いて抜け出し、下部固定部がボルトによる固定が解かれ、上部側の回転軸を支点として電気接続箱が前方へ回転する。そのため、インストルメントパネルの室内側前面と電気接続箱との間に大きな衝撃吸収空間を設けて、インストルメントパネルの前方への凹みを大きくでき、乗員への衝撃力を緩和して、乗員の保護を図ることができる。
【発明を実施するための最良の形態】
【００１２】
本発明の実施形態を図面を参照して説明する。
図１乃至図４は、本発明の実施形態を示し、電気接続箱１０は前記従来例の図５と同様に自動車のインストルメントパネル１の内部に配置されるもので、電気接続箱１０の上部側をリーンホース５０に固定すると共に、下部側をカウルサイドパネルより突設した車体側ブラケットに固定して垂直配置している。
【００１３】
電気接続箱１０は樹脂成型品からなるアッパーケース１１とロアケース１２をロック結合により組み付けて形成しており、図１に示すように、アッパーケース１１がインストルメントパネル１側に配置される。
【００１４】
アッパーケース１１の上面には、図２に示すように、２つの上部固定部２０を突設している。図３に示すように、この２つの上部固定部２０にはそれぞれ同一線上にボルト孔２１を穿設しており、該ボルト孔２１を上部固定部２０の対向面側にそれぞれ埋設するナットＮのボルト孔Ｎ−１と連通させている。
【００１５】
２つの上部固定部２０間に取り付けるＬ型のケース側ブラケット４０は下部側に左右方向に貫通する貫通孔４１を穿設している。該貫通孔４１の径は、上部固定部２０とケース側ブラケット４０とを固定するボルトＢの外径よりも大とし、挿入されたボルトＢが自由に回転できる大きさとしている。上部固定部２０のボルト孔２１とケース側ブラケット４０の貫通孔４１を連通させた状態で、上部固定部２０の両側からボルトＢを挿通してボルト締めすると、上部固定部２０のナットＮとボルトＢが締結されて、ボルトＢが上部固定部２０に固定されると共に、ボルトＢの先端部がケース側ブラケット４０の貫通孔４１に回転自在に挿入される。これにより、ケース側ブラケット４０が電気接続箱１０に対して回転自在に取り付けられる。
【００１６】
また、ケース側ブラケット４０の上部側には２つのボルト孔４２、４３が穿設されており、該ボルト孔４２、４３をリーンホース５０にボルト締めしている車体側ブラケット５１のボルト孔に連通させてボルトを通してナット締めし、ケース側ブラケット４０と車体側ブラケット５１とを締結している。即ち、電気接続箱１０は２つのブラケットを介して、かつ、ボルトＢを回転軸としてリーンホース５０に固定されている。
【００１７】
アッパーケース１１の下面の両端には２つの下部固定部３０をインストルメントパネル１側へ下方傾斜させて突設している。該下部固定部３０には、図２に示すようにボルト孔３１を穿設していると共に、該ボルト孔３１に連通すると共に下部固定部３０の下端に開口するスリット３２を設けている。該スリット３２はボルト孔３１に通すボルトの径よりも細幅としている。下部固定部３０は、カウルサイドパネルに設けた車体側ブラケット５２に固定される。該車体側ブラケット５２は、図１に示すように、その先端を屈折させて下部固定部３０の前面（車両前方側）に当接し、該屈折側に固定したボルト５３を下部固定部３０のボルト孔３１に通してナット締め固定している。
【００１８】
アッパーケース１１のインストルメントパネル１側の外面には、複数のコネクタ収容部１１ａ、リレー収容部１１ｂ、ヒューズ収容部１１ｃを設けている。
また、ロアケース１２の前面には複数のコネクタ収容部１２ａを設けている。
【００１９】
上記構成からなる電気接続箱１０は、通常時には、上記したように４点固定で車体側に図１に示す状態で固定されている。
自動車の乗員がインストルメントパネル１の室内側前面に衝突し、インストルメントパネル１を介して電気接続箱１０に前方への衝撃が負荷された時、電気接続箱１０の下部固定部３０と車体側ブラケット部５２とを締結していたボルトＢが下部固定部３０のスリット３２を開いて下部固定部３０から脱落し、下部固定部３０と車体側ブラケット部５２の締結が解除される。これにより、電気接続箱１０は上部固定部２０とケース側ブラケット４０とがボルトＢを回転軸として回転自在に連結された状態となり、図４に示すように、インストルメントパネル１側からの衝撃により電気接続箱１０は前方へ回転する。よって、前方へ回転した電気接続箱１０とインストルメントパネル１との間に十分な衝撃吸収空間が形成され、図４中の実線に示すようにインストルメントパネル１が十分凹んで衝撃を吸収でき、乗員を保護することができる。
【図面の簡単な説明】
【００２０】
【図１】本発明の実施形態を示し、電気接続箱をインストルメントパネルの室内側前面の近傍に搭載した状態を示す図面である。
【図２】上記電気接続箱の正面図である。
【図３】上記電気接続箱のＩ−Ｉ線断面図である。
【図４】上記電気接続箱が衝撃により回転した状態を示す図面である。
【図５】電気接続箱の配置位置及び従来の問題点を示す図面である。
【図６】従来例を示す図面である。
【符号の説明】
【００２１】
１０  電気接続箱
１１  アッパーケース
１２  ロアケース
２０  上部固定部
２１  ボルト孔
３０  下部固定部
３１  ボルト孔
３２  スリット
４０  ケース側ブラケット
４１  貫通孔
５０  リンホース
５１  車体側ブラケット
５２  車体側ブラケット
Ｂ  ボルト
Ｎ  ナット
【図１】
2005059726.tif 000003
【図２】
2005059726.tif 000004
【図３】
2005059726.tif 000005
【図４】
2005059726.tif 000006
【図５】
2005059726.tif 000007
【図６】
2005059726.tif 000008